(57)【特許請求の範囲】
【請求項１】
デジタルデータをデジタルカメラの外部に独立的にエクスポートすることができない、または、前記デジタルカメラの外部からデジタルデータを独立的にインポートすることができない内蔵プロセッサを備えるデジタルカメラで使用されるように構成されているメモリカードにおいて、
前記メモリカードは、ワイヤレストランシーバモジュールを具備し、
前記ワイヤレストランシーバモジュールは、
中央プロセッサと、
記憶モジュールと、
のうちの少なくとも一方に動作可能に接続されており、
前記デジタルカメラに送信された前記デジタルデータをワイヤレスに受信し、前記デジタルカメラから前記デジタルデータをワイヤレスに送信するように構成されており、
前記中央プロセッサは、
前記デジタルカメラによる前記デジタルデータの受信と、
前記デジタルカメラからの前記デジタルデータの送信と、
のうちの少なくとも一方を制御するように構成されており、
前記記憶モジュールは、
前記中央プロセッサに動作可能に接続されており、
前記デジタルカメラにより取り込まれた前記デジタルデータと、前記デジタルカメラにより受信された前記デジタルデータと、のうちの少なくとも一方を記憶するように構成されており、
前記メモリカードは、
前記ワイヤレストランシーバモジュールを通して、少なくとも１つの外部デバイスに、前記デジタルカメラにより取り込まれた前記デジタルデータをワイヤレスに送信することと、
ここで、前記デジタルカメラによって取り込まれた前記デジタルデータが、前記ワイヤレストランシーバモジュールを介して前記少なくとも１つの外部デバイスに送信されているときと実質的に同時に、前記デジタルカメラによって取り込まれた前記デジタルデータが、前記記憶モジュールに記憶され、その結果、前記少なくとも１つの外部デバイスが、前記デジタルカメラによって取り込まれた前記デジタルデータを、実質的にリアルタイムで受信し、ライブストリーミングをサポートすることができる、
前記ワイヤレストランシーバモジュールを通して、別の外部デバイスからデジタルデータをワイヤレスに受信することと、
ここで、前記受信されたデジタルデータを前記記憶モジュールに記憶することと、前記受信されたデジタルデータを前記デジタルカメラに表示すること、との双方が、実質的にリアルタイムで行われ、ライブストリーミングをサポートする、
を行うように構成されている、メモリカード。
【請求項２】
前記中央プロセッサは、前記記憶モジュールから前記デジタルデータを選択し、前記少なくとも１つの外部デバイスへの前記選択したデジタルデータのワイヤレス送信を制御するように、前記デジタルカメラの前記内蔵プロセッサにより命令されるように構成されている請求項１記載のメモリカード。
【請求項３】
前記メモリカードは、前記メモリカードが接続できる潜在的なワイヤレスネットワークを検出するように構成されている請求項１または２のいずれか記載のメモリカード。
【請求項４】
前記メモリカードは、前記メモリカードが前記デジタルデータを送ることができる潜在的なワイヤレス対応外部デバイスを検出するように構成されている請求項１ないし３のいずれか１項記載のメモリカード。
【請求項５】
前記メモリカードは、前記デジタルカメラと、複数の検出したワイヤレス対応外部デバイスのそれぞれとの間の相対的な近さにしたがって、前記複数の検出したワイヤレス対応外部デバイスのうちの１つに前記デジタルデータを送るように構成されている請求項４記載のメモリカード。
【請求項６】
前記メモリカードは、任意のワイヤレス対応外部デバイスがないときに、潜在的なワイヤレスネットワークを自動的に検出するように構成されている請求項１ないし５のいずれか１項記載のメモリカード。
【請求項７】
前記デジタルカメラからの前記デジタルデータ転送のステータス、または、前記デジタルカメラへの前記デジタルデータ転送のステータス、をユーザに通知するように構成されているブザーをさらに具備する請求項１ないし６のいずれか１項記載のメモリカード。
【請求項８】
前記中央プロセッサは、前記デジタルカメラの前記内蔵プロセッサが、スリープモードになることを防ぐように構成されている請求項１ないし７のいずれか１項記載のメモリカード。
【請求項９】
前記メモリカードは、少なくとも１つの直接プリントオーダーフォーマット（ＤＰＯＦ）ファイルを記憶する請求項１ないし８のいずれか１項記載のメモリカード。
【請求項１０】
前記少なくとも１つのＤＰＯＦファイルは、オートプリントＡＵＴＰＲＩＮＴ．ＭＲＫファイルである請求項９記載のメモリカード。
【請求項１１】
前記メモリカードは、前記オートプリントＡＵＴＰＲＩＮＴ．ＭＲＫファイル中の第１のフィールドの値に基づいて、少なくとも１つの予め規定されている動作を実行するように構成されている請求項１０記載のメモリカード。
【請求項１２】
前記第１のフィールドは、‘ＰＲＴ＿ＱＴＹ’である請求項１１記載のメモリカード。
【請求項１３】
前記少なくとも１つの予め規定されている動作は、
前記ワイヤレストランシーバモジュールを通した、予め定められているサーバまたはウェブサイトへの、前記デジタルデータのワイヤレス送信と、
前記ワイヤレストランシーバモジュールを通した、プリンタへの、前記デジタルデータのワイヤレス送信と、
のうちの一方である請求項１１または請求項１２記載のメモリカード。
【請求項１４】
前記オートプリントＡＵＴＰＲＩＮＴ．ＭＲＫファイル中の第２のフィールドの少なくとも１つの値は、前記デジタルデータの１つのファイル名に対応する請求項１１ないし１３のいずれか１項記載のメモリカード。
【請求項１５】
前記第２のフィールドは、‘ＩＭＧ＿ＳＲＣ’である請求項１４記載のメモリカード。
【請求項１６】
前記記憶モジュールは、前記少なくとも１つの外部デバイスによりアクセス可能であるように構成され、
前記少なくとも１つの外部デバイスは、前記記憶モジュールから前記デジタルデータを選択して、前記ワイヤレストランシーバモジュールを通して、前記メモリカードから前記選択したデジタルデータをワイヤレスに受信する請求項１ないし１５のいずれか１項記載のメモリカード。
【請求項１７】
前記記憶モジュールに記憶されている前記デジタルデータは、ウェブブラウザを通して、前記少なくとも１つの外部デバイスによりアクセス可能である請求項１６記載のメモリカード。
【請求項１８】
デジタルデータをデジタルカメラの外部に独立的にエクスポートすることができない、または、前記デジタルカメラの外部からデジタルデータをインポートすることができない内蔵プロセッサを備えるデジタルカメラから、前記デジタルデータをエクスポートすることと、
デジタルデータをデジタルカメラの外部に独立的にエクスポートすることができない、または、前記デジタルカメラの外部からデジタルデータをインポートすることができない内蔵プロセッサを備えるデジタルカメラにより、前記デジタルデータを受信することと、
のうちの少なくとも一方を行う方法において、
前記方法は、
前記デジタルカメラにインストールされ、前記デジタルカメラに動作可能に接続されているメモリカードを使用するステップと、
前記メモリカードの動作を制御するために、前記デジタルカメラの制御を使用するステップと、
を含み、
前記メモリカードは、中央プロセッサと、記憶モジュールと、ワイヤレストランシーバモジュールとを有し、
前記中央プロセッサおよび前記記憶モジュールは、前記デジタルデータを記憶するために使用され、
前記ワイヤレストランシーバモジュールは、
前記デジタルデータをワイヤレスに受信することと、
ここで、前記受信されたデジタルデータを前記記憶モジュールに記憶することと、前記受信されたデジタルデータを前記デジタルカメラに表示すること、との双方が、実質的にリアルタイムで行われ、ライブストリーミングをサポートする、
前記デジタルカメラにより取り込まれた前記デジタルデータを前記少なくとも１つの外部デバイスにワイヤレスに送信することと、
ここで、前記デジタルカメラによって取り込まれた前記デジタルデータが、前記ワイヤレストランシーバモジュールを介して前記少なくとも１つの外部デバイスに送信されているときと実質的に同時に、前記デジタルカメラによって取り込まれた前記デジタルデータが、前記記憶モジュールに記憶され、その結果、前記少なくとも１つの外部デバイスが、前記デジタルカメラによって取り込まれた前記デジタルデータを、実質的にリアルタイムで受信し、ライブストリーミングをサポートすることができる、
のために使用される、方法。
【請求項１９】
前記記憶モジュールからデジタルデータを選択するステップと、
前記選択したデジタルデータを前記少なくとも１つの外部デバイスに送信するように前記中央プロセッサに命令するステップと、
をさらに含む請求項１８記載の方法。
【請求項２０】
前記メモリカードが、前記メモリカードを接続できる潜在的なワイヤレスネットワークを検出するステップをさらに含む請求項１８または１９記載の方法。
【請求項２１】
前記メモリカードが、前記メモリカードが前記デジタルデータを送ることができる潜在的なワイヤレス対応外部デバイスを検出するステップをさらに含む請求項１８ないし２０のいずれか１項記載の方法。
【請求項２２】
前記メモリカードが、前記デジタルカメラと、複数の検出したワイヤレス対応外部デバイスのそれぞれとの間の相対的な近さにしたがって、前記複数の検出したワイヤレス対応外部デバイスのうちの１つに前記デジタルデータを送るステップをさらに含む請求項２１記載の方法。
【請求項２３】
前記ワイヤレストランシーバモジュールと前記複数の検出したワイヤレス対応外部デバイスとの間のワイヤレス通信は、ピアツーピアプロトコルに基づき、
ワイヤレストランシーバモジュールと前記複数の外部デバイスとの間の認証が行われる請求項２１または請求項２２記載の方法。
【請求項２４】
認証は、共通ＩＰアドレスの使用によるものである請求項２３記載の方法。
【請求項２５】
前記メモリカードに記憶されている少なくとも１つの直接プリントオーダーフォーマット（ＤＰＯＦ）ファイル中の第１のフィールドの値に基づいて、前記メモリカードが少なくとも１つの予め規定されている動作を実行するステップをさらに含む請求項１８ないし２４のいずれか１項記載の方法。
【請求項２６】
前記メモリカードが少なくとも１つの予め規定されている動作を実行するステップは、
前記ワイヤレストランシーバモジュールを通して、予め定められているサーバまたはウェブサイトに前記デジタルデータをワイヤレスに送信することと、
前記ワイヤレストランシーバモジュールを通して、プリンタに前記デジタルデータをワイヤレスに送信することと、
のうちの一方である請求項２５記載の方法。
【請求項２７】
前記メモリカードが前記デジタルデータを前記少なくとも１つの外部デバイスにワイヤレスに送信するステップをさらに含み、
前記デジタルデータのうちのそれぞれのデジタルデータの各ファイル名は、前記少なくとも１つの直接プリントオーダーフォーマット（ＤＰＯＦ）ファイル中の第２のフィールドの少なくとも１つの値に対応している請求項２５または請求項２６記載の方法。
【請求項２８】
前記少なくとも１つの外部デバイスが、前記メモリカードの前記記憶モジュールにアクセスして前記デジタルデータを選択し、前記ワイヤレストランシーバモジュールを通して、前記選択したデジタルデータを前記記憶モジュールからワイヤレスに受信するステップをさらに含む請求項１８ないし２７のいずれか１項記載の方法。
【請求項２９】
デジタルデータを前記デジタルカメラの外部に独立的にエクスポートすることができない、または、前記デジタルカメラの外部からデジタルデータを独立的にインポートすることができない内蔵プロセッサと、
請求項１ないし１７のいずれか１項記載の前記メモリカードと、
を具備する、デジタルカメラ。
【発明の詳細な説明】
【関連出願への参照】
【０００１】
我々の先の国際特許出願である、“ワイヤレスデジタルコンテンツ管理のための方法および装置カード”と題する発明に向けて、２００８年９月４日に出願されたＰＣＴ／ＳＧ２００８／０００３２７と、“ワイヤレスデジタルコンテンツ管理のための方法およびメモリカード”と題する発明に向けて、２００９年８月１２日に出願されたＰＣＴ／ＳＧ２００９／０００２７９と、また、“ワイヤレスデジタルコンテンツ管理のための方法およびメモリカード”と題する発明に向けて、２００９年１２月１日に出願されたＰＣＴ／ＳＧ２００９／０００４６１と、さらに、“ワイヤレスデジタルコンテンツ管理のための方法およびメモリカード”と題する発明に向けて、２０１０年３月１日に出願されたＰＣＴ／ＳＧ２０１０／００００７０とに対して、参照が行われ、これらの内容は、これらのすべてがここ開示されているかのように、参照によりここに組み込まれている。
【技術分野】
【０００２】
本発明は、データを記憶およびワイヤレストランシービングするメモリカードおよび方法に関し、排他的ではないが、デジタルカメラがワイヤレスに通信できるようにする、ワイヤレス媒体を使用するこのようなメモリカードおよび方法に特に関連する。
【定義】
【０００３】
本明細書全体を通して、デジタルカメラへの参照は、デジタルカメラ、デジタルビデオカメラ、デジタルボイスレコーダ、またはデジタルダイアリーへの参照を含むものとして考えられるべきである。
【０００４】
本明細書全体を通して、別のデジタルデバイスへの参照は、ワイヤレス対応パーソナルコンピュータ、ラップトップコンピュータ、ノートブックコンピュータ、タブレットコンピュータ、パーソナルデジタルアシスタント、サーバ、移動体電話機、もしくはセルラ電話機、またはデジタルフォトフレームへの参照となるものとして考えられるべきである。
【背景】
【０００５】
デジタルカメラは、デジタルコンテンツのダウンロードおよびアップロードを可能にするために、ホストコンピュータに物理的におよび電気的に接続しなければならない。
【０００６】
デジタルコンテンツは、例えば、画像、ビデオ画像、マーケティングマテリアル、音楽コンテンツ等であってもよい。アップロードおよびダウンロードを管理および制御するアプリケーションは、ホストコンピュータに常駐する。これは、常に都合がよいわけではない。
【０００７】
その理由は、デジタルカメラは、デジタルカメラにより取り込まれたデジタルデータを独立的にエクスポートする能力がないプロセッサを有するからである。デジタルカメラは、ホストコンピュータとの接続を必要とし、ホストコンピュータは、デジタルカメラにより取り込まれたデジタルデータをインポートし、ホストコンピュータは、ホストコンピュータからデジタルカメラにデジタルデータをエクスポートする。すべての関連する機能に対して、ホストコンピュータはプロセスを制御する。代替的に、メモリカードに記憶されたデジタルデータをホストコンピュータにアップロードするために、デジタルカメラの、メモリカードまたは類似した不揮発性メモリを取り外して、ホストコンピュータ中に挿入してもよい。いったんホストコンピュータのメモリに記憶されると、デジタルデータをウェブサイトにアップロードすることができる。例えば、個人的な写真を記憶することが可能になる多くのウェブサイトが存在する−多くの例のうちの２つに過ぎないが、“ＦａｃｅＢｏｏｋ（登録商標）”や“Ｕ−Ｔｕｂｅ”がある。これは、アップロードを行うために、ホストコンピュータへのアクセスを必要とする。これは、常に都合がよいわけではないかもしれない。また、そのようなサイトにおいて、データ完全性は著しく損失される。
【０００８】
多数のデジタルカメラまたは他のデジタルデバイス間でデータを共有しようと試行するとき、類似した問題が生じる。ハイエンドな移動体またはセルラ電話機に対して、ＭＭＳまたはｅメールを使用して、写真または他のデータを送ることができるが、これは高価であり遅い。また、これは、データ容量においても制限されている。別の方法では、記憶カードまたは他の記憶装置を使用して、データを転送することができる。これも非常に遅く、デジタルカメラまたは他のデジタルデバイスが、使用する記憶装置に関する互換性を有することが必要とされる。
【概要】
【０００９】
ある発明の態様にしたがうと、デジタルカメラの外部にデジタルデータを独立的にエクスポートすることができない、または、デジタルカメラの外部からのデジタルデータを独立的にインポートすることができない内蔵プロセッサを有するデジタルカメラで使用するように構成されているメモリカードが提供されている。メモリカードは、中央プロセッサと、記憶モジュールと、のうちの少なくとも１つに動作可能に接続されており、デジタルカメラに送信されたデジタルデータをワイヤレスに受信し、デジタルカメラからデジタルデータをワイヤレスに送信するように構成されている、ワイヤレストランシーバモジュールを具備し、中央プロセッサは、デジタルカメラによるデジタルデータの受信と、デジタルカメラからのデジタルデータの送信と、のうちの少なくとも１つを制御するように構成されており、記憶モジュールは、中央プロセッサに動作可能に接続されており、デジタルカメラにより取り込まれたデジタルデータと、デジタルカメラにより受信されたデジタルデータとのうちの少なくとも１つを記憶するように構成されており、メモリカードは、ワイヤレストランシーバモジュールを通して、少なくとも１つの外部デバイスにデジタルデータをワイヤレスに送信することと、ワイヤレストランシーバモジュールを通して、外部デバイスからデジタルデータをワイヤレスに受信することと、のうちの少なくとも１つを行うように構成されており、デジタルデータの記憶とデジタルデータの送信との双方は、実質的にリアルタイムで行うことができる。
【００１０】
別の発明の態様にしたがうと、デジタルデータをデジタルカメラの外部に独立的にエクスポートすることができない、または、デジタルカメラの外部からデジタルデータをインポートすることができない内蔵プロセッサを備えるデジタルカメラから、デジタルデータをエクスポートすること、あるいは、デジタルデータをデジタルカメラの外部に独立的にエクスポートすることができない、または、デジタルカメラの外部からデジタルデータをインポートすることができない内蔵プロセッサを備えるデジタルカメラにより、デジタルデータを受信すること、のうちの少なくとも１つを行う方法が提供されている。方法は、デジタルカメラにインストールされ、デジタルカメラに動作可能に接続されているメモリカードを使用することと、メモリカードの動作を制御するために、デジタルカメラの制御を使用することとを含み、メモリカードは、中央プロセッサと、記憶モジュールと、ワイヤレストランシーバモジュールとを有し、中央プロセッサおよび記憶モジュールは、デジタルデータを記憶するために使用され、ワイヤレストランシーバモジュールは、デジタルデータをワイヤレスに受信することと、デジタルデータをワイヤレスに送信することと、のうちの少なくとも１つに対して使用され、デジタルデータの記憶とデジタルデータの送信との双方は、実質的にリアルタイムで行うことができる。
【００１１】
さらなる例示的な態様にしたがうと、デジタルカメラの外部にデジタルデータを独立的にエクスポートする能力がない、または、デジタルカメラの外部からデジタルデータを独立的にインポートする能力がない、内蔵プロセッサと、上述したメモリカードとを具備するデジタルカメラが提供されている。
【００１２】
これらの態様に対して、ワイヤレストランシーバモジュールを通した、少なくとも１つの外部デバイスへのデジタルデータのワイヤレス送信とともに、ワイヤレストランシーバモジュールを通した、外部デバイス装置からのデジタルデータのワイヤレス受信の双方は、デジタルカメラの内臓プロセッサから、中央プロセッサにより受信した命令に応答するものであるように構成してもよい。メモリカードはさらに、記憶されている、または、送信されているときに、デジタルデータをバッファリングするバッファを備える。メモリカードは、メモリカードが接続できる潜在的なワイヤレスネットワークを検出するように構成してもよい。ワイヤレス送受信は、Ｗｉ−Ｆｉ（登録商標）によるものであってもよい。メモリカードは、物理的におよび動作可能に、デジタルカメラ中に係合し、および、デジタルカメラと係合するように、ならびに、内臓プロセッサと動作可能に接続するように構成してもよい。そのような方法での動作接続は、通常のメモリカードと同じ方法であり、内蔵プロセッサは、メモリカードを通常のメモリカードとして見る。デジタルデータは、画像データと、オーディオデータと、画像およびオーディオデータと、ビデオデータと、オーディオおよびビデオデータとから選択されてもよい。
【００１３】
ワイヤレストランシーバモジュールは、並列、および、直列のうちの１つで構成されている複数のワイヤレス対応の外部デバイスにデータを送信するように構成してもよい。外部デバイスのうちの少なくとも１つは、デジタルカメラまたは別のデジタルデバイスである。データが、実質的に、記憶モジュールまたはデジタルカメラのいずれかから取得されるときに送信できるように、ワイヤレストランシーバモジュールは、実質的にリアルタイムで送信を行うように構成してもよい。
【００１４】
データを取り込むためにデジタルカメラが使用されるときに、実質的にリアルタイムでデータを記憶モジュールに記憶することができてもよい。記憶は、データが送信されるのと実質的に同時にであってもよい。バッファは、送信および記憶のうちの１つをバッファリングするように構成してもよい。
【００１５】
デジタルデータは、上述したように、別のデジタルカメラに、もしくは、メモリカードを有する別のデジタルデバイスにエクスポートされてもよく、または、別のデジタルカメラから、もしくは、メモリカードを有する別のデジタルデバイスからインポートしてもよい。ワイヤレストランシーバモジュールと複数の外部デバイスとの間のワイヤレス通信は、ピアツーピアプロトコルに基づいていてもよく、ワイヤレストランシーバモジュールと複数の外部デバイスとの間の認証が行われてもよい。認証は、共通ＩＰアドレスの使用によるものであってもよい。
【００１６】
いくつかのオプション的な特徴が独立請求項に規定されている。
【００１７】
例えば、メモリカードは、デジタルカメラからのデジタルデータ転送、または、デジタルカメラへのデジタルデータ転送のステータスをユーザに通知するように構成されているブザーを備えてもよい。ブザーのサウンドから、ユーザは、デジタルデータが成功して、デジタルカメラから、または、デジタルカメラに送信されたか否かを有利に把握することができる。
【００１８】
また、メモリカードの中央プロセッサは、デジタルカメラの内蔵プロセッサが、“スリープ”モードに行くことを防ぐようにも構成することができる。有利にも、これは、デジタルデータが、デジタルカメラから、または、デジタルカメラに、送信されているときに、デジタルカメラが、“スリープ”モードに行くことを防ぐことができる。
【図面の簡単な説明】
【００１９】
本発明が完全に理解され、容易に実用的な効果をもたらすために、これから、限定されない例により、例示的に過ぎない実施形態を説明する。説明は、添付している説明図を参照している。
【００２０】
図面において：  
【図１】図１は、ホストデバイスから取り込まれたデータをサーバにワイヤレスに転送することを可能にする、ホストデバイスに接続可能なワイヤレス媒体の例示的なシステムの概略図である。
【図２】図２は、図１の例示的なシステムを図示しているブロックダイヤグラムである。
【図３】図３は、図１のワイヤレス媒体の図示である。
【図４】図４は、図１のホストデバイスのプロセッサの図示である。
【図５ａ】図５ａは、図１から４および６の例示的な実施形態の動作に対するフローチャートである。
【図５ｂ】図５ｂは、図１から４および６の例示的な実施形態の動作に対するフローチャートである。
【図６】図６は、ワイヤレスデバイスによって外部ソースからデータをワイヤレスに受信することを可能する、または、ワイヤレス媒体によって外部ソースにデータをワイヤレスに送信することを可能にする、外部デバイスにワイヤレスに接続可能なワイヤレス媒体の例示的なシステムの概略図である。
【図７】図７は、ワイヤレス媒体によって複数の外部デバイスからデータをワイヤレスに受信することを可能する、または、ワイヤレス媒体によって複数の外部デバイスにデータをワイヤレスに送信することを可能にする、複数の外部デバイスに並列にワイヤレスに接続可能なワイヤレス媒体のブロックダイヤグラムである。
【図８】図８は、ワイヤレス媒体により複数の外部デバイスからワイヤレスにデータを受信することを可能する、または、ワイヤレス媒体により複数の外部デバイスにデータを送信することを可能にする、複数の外部デバイスに直列にワイヤレスに接続可能なワイヤレス媒体のブロックダイヤグラムである。
【図９ａ】図９ａは、図１から４の例示的な実施形態の代替的な動作に対するフローチャートである。
【図９ｂ】図９ｂは、図１から４の例示的な実施形態の代替的な動作に対するフローチャートである。
【図１０ａ】図１０ａは、図３のワイヤレス媒体のディレクトリ構造を示している。
【図１０ｂ】図１０ｂは、図１０ａのディレクトリ構造のルートディレクトリに記憶されているオートプリントＡＵＴＰＲＩＮＴ．ＭＲＫファイルの例を示している。
【図１１】図１１は、図１０ｂのＡＵＴＰＲＩＮＴ．ＭＲＫファイルに基づいて、複数の予め規定されている動作のうちの１つを実行するワイヤレス媒体のフローチャートを示している。
【図１２】図１２は、図１０ｂのＡＵＴＰＲＩＮＴ．ＭＲＫファイルに基づいて、ワイヤレス媒体から外部デバイスにデータをワイヤレスに送るワイヤレス媒体の代替的なフローチャートを示している。
【例示的な実施形態の詳細な説明】
【００２１】
例示的な実施形態は、データの記憶およびワイヤレストランシービングのために、デジタルカメラとともに使用するメモリカードおよび方法であり、メモリカードは、デジタルカメラがワイヤレスに通信することを可能にするワイヤレス媒体を備える。
【００２２】
図１から５で示されているように、通常の方法でメモリカード２００を挿入または取り外すことが可能なスロット１０２を有するデジタルカメラ１００がある。
【００２３】
メモリカード２００は、図３で示されており、中央プロセッサ２０２と、中央プロセッサ２０２に動作可能に接続されているワイヤレストランシーバモジュール２０４と、中央プロセッサ２０２に動作可能に接続されている記憶モジュール２０６とを備えている。中央プロセッサ２０２は、カードインターフェース２０８とともに、ワイヤレスインターフェース２１０を備える。ワイヤレストランシーバモジュール２０４は、アンテナ２１２も備える。ＣＰＵ２０２は、ワイヤレストランシーバモジュール２０４がデータを送信または受信しているときに特に、データをバッファリングすることが可能なバッファ２１４を備える。
【００２４】
デジタルカメラ１００は、スロット１０２中に挿入されたときにメモリカード２００とインターフェースするカードインターフェース１０６を持つ内蔵プロセッサ１０４を備える。内蔵プロセッサ１０４はまた、カメラ１００のディスプレイスクリーン１１０を制御するディスプレイインターフェース１０８を備える。さらに、内蔵プロセッサ１０４は、カメラ１００の動作を制御するために使用するカメラ制御およびその他のもの１１４をイネーブルする制御インターフェース１１２を備える。内蔵プロセッサ１０４は、カメラ１００の外部にデジタルデータを独立的にエクスポートする能力がない。独立的にエクスポートすることは、プロセッサ１０４が、カメラからコンピュータへのデータのエクスポートを可能にする関連する動作可能なソフトウェアを備えるコンピュータのような、インテリジェントホストにカメラ１００を動作可能に接続させる必要があり、エクスポートすることは、コンピュータの制御の下にあることを意味する。カメラ１００の通常の動作は、内蔵プロセッサ１０４の制御の下にある。
【００２５】
内蔵プロセッサ１０４はまた、カメラ１００の外部からデジタルデータを独立的にインポートする能力がない。独立的にインポートすることは、プロセッサ１０４が、コンピュータからカメラへのデータのエクスポート（すなわち、カメラによるコンピュータからのデータのインポート）を可能にする関連する動作可能なソフトウェアを備えるコンピュータのような、インテリジェントホストに、カメラ１００を動作可能に接続させる必要があり、エクスポートすること／インポートすることは、コンピュータの制御の下にあることを意味する。
【００２６】
カードインターフェース２０８のために、メモリカード２００がカメラ１００のスロットに係合しているときはいつでも（５００）、カードインターフェース１０６は、メモリカード２００を通常のメモリカードとして見て、内蔵プロセッサ１０４からメモリカード２００に画像および／またはオーディオのデータを転送するために、通常の方法で、メモリカード２００とインターフェースする（５０１）。カード２００が、カメラ１００により認識されるカテゴリーではない場合に、これは、通常の方法でエラーメッセージを表示して、処理が終了する（５０２）。
【００２７】
いったん内蔵プロセッサ１０４とカード２００との間の初期の接続が終わると、例えば、“ビュー(view)”（あるいは、例えば“再生”、“表示”、または“データを転送”のようなその同等物）のような予め定められているモードにカメラ制御が設定されると（５０３）、内蔵プロセッサ１０４は、通常の動作にしたがって、カード２００から、ディスプレイ１１０上に表示するための第１の画像ファイルをダウンロードする。中央プロセッサ２０２は、その後、ディスプレイインターフェース１０８に、第１のメニューを含むインデックス画像ファイルを送り（５０４）、制御１１４のナビゲーション制御は、通常の方法で、表示されたメニューを制御するために使用することができる。第１のメニューは、カメラ１００の将来のパフォーマンスを決定する一連の第１のアイテムを含むだろう。第１のメニューのアイテムのそれぞれは、インデックス画像ファイル内の別個の画像である。第１のメニューアイテムは、例えば：  
１．データを転送  
２．ワイヤレス検出  
３．画像を見る  
を含んでもよい。
【００２８】
（５０３）において、カメラ１００が予め定められているモード−“ビュー”またはその同等物−に設定されていない場合に、メモリカード２００および内蔵プロセッサ１０４は、内蔵プロセッサ１０４の動作の下で、通常の知られている方法（５０５）で動作する。
【００２９】
カメラ１００が予め定められているモードに設定されている場合には、表示されたアイテムの１つを選択しなければならない（５０６）。メニュー中の各アイテムは、別個の画像であり、メニューリスト中の１つのアイテムを選択することは、別個のアイテムを選択することである。それゆえ、使用される制御１１４は、プロセッサ１０４が中央プロセッサ２０２に命令を送ることができるようなものでなければならない。通常、ビューモードのときには、２つのそのような命令−“次”（次の画像を送る）および“削除”（この画像を削除）がある。後続の動作に対して“次”が必要とされるとき、“削除”機能を使用することができる。しかしながら、カメラ１００が“ビュー”モードであるときに、かつ、上記で示した第１のメニューアイテムから、“データを転送”または“ワイヤレス検出”が選択されている場合に、中央プロセッサ２０２は“削除”を“選択”として解釈する。“第１の画像を送る”命令がプロセッサ１０４により送られて、メモリカードの中央プロセッサ２０２により受信されるとき（５０４）、このような命令が受信されるのはこの時のみであるので、中央プロセッサ２０２は、カメラ１００が“ビュー”モードであることを認識する。
【００３０】
第１のメニューアイテムのそれぞれは、別個の画像であることから、“削除”を使用することは、プロセッサ１０４から中央プロセッサ２０２に送られる命令のみでなく、命令は、中央プロセッサ２０２がいずれの画像がそれに応じて処理されることになるかを知ることを可能にする画像の識別子を含む。
【００３１】
中央処理２０２は命令を受信し、予め定められているモードが選択されていること、かつ、選択された画像が、画像インデックスファイルからの（１）または（２）であることを確認した後に、中央プロセッサ２０２は、“削除”命令を“選択”として扱う。
【００３２】
中央プロセッサ２０２は、その後、第１のメニューアイテム１または第１のメニューアイテム２が選択されたか否かに依存して、必要なアクションをとる。
【００３３】
選択された第１のメニューアイテムがワイヤレス転送用であるか否かを決定する問い合わせが発生される（５０９）。ワイヤレス転送用ではない場合には、それはアイテム３であるはずである。制御１１４を使用して、通常の方法でアイテム３が選択された場合に（５０７）、中央プロセッサ２０２は、通常の方法で命令を扱い、記憶モジュール２０６から第１の画像ファイルを送り（５０８）、カメラ１００およびメモリカード２００は、通常の方法（５０５）で動作し続ける。（５０９）において、選択された第１のメニューアイテムがワイヤレス転送用である場合に、それは、アイテム１またはアイテム２であるだろう。そして、アイテム１またはアイテム２が選択されたか否かを決定する第２の問い合わせが発生される（５１０）。
【００３４】
５１０において、アイテム２が選択された場合に、中央プロセッサ２０２は、ワイヤレストランシーバモジュール２０４をアクティブ化し（５１１）、カード２００を接続できる潜在的なワイヤレスネットワークに対するサーチに取り掛かる（５１２）。これは、通常の方法である。いったんすべての潜在的なワイヤレスネットワークが検出されると（５１３）、それらは、ディスプレイ１１０上に表示され（５１４）、所望のワイヤレスネットワークを選択するために制御１１４が使用される（５１５）。いったん所望のワイヤレスネットワークが選択されると、第２のインデックス画像ファイルが中央プロセッサ２０２からディスプレイ１１０にダウンロードされる（５１６）。第２のインデックス画像ファイルは、第２のメニューリストを含む（５１７）。第２のインデックス画像ファイルは、第１のインデックス画像ファイルと同じものであってもよく、または、異なるものであってもよい。第２のメニューリストのそれぞれはまた、別個の画像であり、それ自体の識別子を持つ。第２のメニューリストは、第１のメニューリストと同じものであってもよく、または、異なるものであってもよい。第２のメニューリストは、例えば：  
１．データを転送  
２．ワイヤレス検出  
３．画像を見る  
のようなアイテムを含む。
【００３５】
（５１０）において、第１のメニューリストからアイテム１が選択された場合に、中央プロセッサ２０２は、ワイヤレスネットワークが前もって選択されていたか否かを決定する（５２１）。前もって選択されていなかった場合には、これは、アイテム２に戻り（５１０）、上述したように、潜在的なワイヤレスネットワークに対するサーチを開始する。ワイヤレスネットワークが前もって選択されていた場合には、中央プロセッサ２０２は、さまざまな画像ファイルに対する画像データをシーケンシャルに取得し（５２２）、ワイヤレストランシーバモジュール２０４を使用して、選択された、予め定められているウェブサイトに画像データをアップロードする（５２３）。アップロードが完了すると、ディスプレイ１１０上に“完了”メッセージが表示されて（５２４）、プロセスが終了する（５２５）。
【００３６】
（５１８）において、第２のメニューリストからアイテム１が選択された場合に、予め定められているウェブサイトは知られており、ネットワークはたった今選択されたことから、中央プロセッサ２０２は、記憶モジュール２０６からすべての画像ファイルをダウンロードし、画像データを予め定められているウェブサイトにワイヤレスにアップロードするために、それらをワイヤレストランシーバモジュール２０４に転送し始める。１つより多い予め定められているウェブサイトが存在する場合に、中央プロセッサ２０２は、ディスプレイ１１０上での表示のために予め定められているウェブサイトのリストを送り、通常の方法で１つが選択された後に、画像データを送るべきものとして選択された、予め定められているウェブサイトを使用する。予め定められているウェブサイトのリストは、それらのＵＲＬによるもの、または、前もって入力された略記された名称によるものであってもよく、ウェブサイトにおけるｅメールアカウントを含んでいてもよい。
【００３７】
予め定められているウェブサイトのエントリは、前もってメモリカード２００を（示されていない）コンピュータに動作可能に接続することによるものである。コンピュータは、中央プロセッサ２０２から必要なインターフェースをアップロードし、コンピュータは、所望のウェブサイトのＵＲＬもしくはウェブサイト、またはｅメールアカウントを入力するために使用される。これらは、その後、メモリカード２００の記憶モジュール２０６に記憶される。
【００３８】
したがって、通常の方法で、メモリカード２００の記憶モジュール２０６に記憶されている画像を取り込むために、カメラ１００を使用しているときに、カメラ制御１１４が、ビューのような、予め定められているモードに設定されると、上述した手順が始まる。カメラ１００が予め定められているモードであるときに、中央プロセッサ２０２およびワイヤレストランシーバモジュール２０４は、その後、インターネット３００を通して、選択された、予め定められているウェブサイトに画像データを送るように動作して、これにより、画像をサーバ／ＰＣまたは他のコンピュータ４００の記憶装置４０２に記憶できる。これは、例えば、カメラ１００が通常使われないだろう夜中のような都合のよい時間に行われてもよい。加えて、カメラ１００が予め定められているモードであるときに、インターネット３００を通して、選択された予め定められているウェブサイトから画像データをダウンロードして、画像を記憶モジュール２０６中に記憶できるようにするために、カメラ１００を使用してもよい。これは、画像が前もって記憶モジュール２０６から削除されていた場合に必要とされるかもしれない。
【００３９】
望まれる場合または必要とされる場合に、すべての画像データのアップロードが完了したとき、中央プロセッサ２０２は、記憶モジュール２０６に記憶する際に画像データを圧縮またはダウンサイズしてもよい。圧縮は、任意の知られているおよび／または適切な圧縮アプリケーションによるものであってもよい。
【００４０】
ダウンサイズすることは、例えばサムネイルサイズに画像をダウンサイズすることであってもよい。圧縮および／または還元は、画像データを記憶するのに必要とされる記憶モジュール２０６中のメモリの容量を減少させるために使用される。任意の圧縮された画像および／または還元された画像は、示され、予め選択されたウェブサイトには再送されない。さらに、予め選択されたウェブサイトに送られた任意の画像は、送られたものとしてフラグを立てられ、将来再送しなくてもよい。しかしながら、中央プロセッサ２０２は、古い画像が再び送られることになるか、または、新しい、前もって送られていない画像のみが送られることになるかを問うプロンプトをディスプレイ１１０に送ってもよい。上述した方法で選択が行われた後に、中央プロセッサ２０２により適切なアクションがとられる。
【００４１】
図６では、外部デジタルカメラまたは他のデジタルデバイス６００からデジタルデータをワイヤレスに受信するために、あるいは、外部のデジタルカメラまたは別のデジタルデバイス６００にデジタルデータをワイヤレスに送るために、ワイヤレストランシーバモジュール２０４を使用する、第２の例示的な実施形態が示されている。この例示的な実施形態では、ワイヤレストランシーバモジュール２０４は、例えば、画像またはビデオを取り込むために使用されるセキュリティカメラのような、例えば、デジタルカメラ、または、別のデジタルデバイスのような、遠隔カメラ６００である外部ソースから、デジタルデータを受信することになる。しかしながら、これは、例えば、デジタルカメラ１００に類似するカメラであるかもしれず、これにより、画像またはビデオを共有することが、カメラからカメラベースで行われるかもしれない。遠隔カメラ６００は、画像、ビデオ、および／またはオーディオの取り込み能力を有していてもよい。遠隔カメラ６００は、例えば、Ｗｉ−Ｆｉまたはブルートゥース（登録商標）のような、少なくとも１つの関連するおよび適切な標準規格によるワイヤレス通信が可能なワイヤレスモジュールを備えるべきである。これは、ワイヤレストランシーバモジュール２０４を持つメモリカード２００の使用によるものであってもよい。遠隔カメラ６００は、ネットワーク３００を通して、画像または（オーディオを含む）ビデオデータをワイヤレスモジュール２０４に送信するワイヤレス能力、または、画像または（オーディオを含む）ビデオデータをワイヤレスモジュール２０４に直接送信するワイヤレス能力を有する。これは、必要に応じて、Ｗｉ−Ｆｉ、インターネット、ブルートゥース、またはその他のものの使用によるものであってもよい。しかしながら、そのプロトコルにより許容される機能性のために、Ｗｉ−Ｆｉが望ましいことがある。
【００４２】
図５を参照すると、５０３において、デジタルカメラ１００が予め定められているモードである場合に、メモリカード２００が、デジタルカメラ１００により取り込まれたデジタルデータをアップロードするために使用されることになるか、または、遠隔カメラ６００からのデジタルデータを受信するために使用されることになるかを決定する、さらなるメニューアイテムによるさらなる問い合わせがあるかもしれない。アップロードするためである場合に、デジタルカメラ１００は上述したように動作する。受信するためである場合に、遠隔カメラ６００により送られたデジタルデータを受信して表示するためにデジタルカメラ１００を使用する。デジタルカメラ１００により遠隔カメラ６００から受信したデジタルデータは、記憶モジュール２０６に記憶されてもよい。データを表示させる、および／または、記憶させることができるように、記憶することはリアルタイムであってもよい。
【００４３】
この方法で、遠隔カメラ６００により取り込まれたデジタルデータは、デジタルカメラ１００により、表示および／または記憶することができる。その方法では、遠隔カメラ６００がデジタルカメラであり、それが侵入を検出した場合に、デジタルカメラ１００がデジタルデータをワイヤレスに受信することが可能な限り、侵入をデジタルカメラ１００上で見ることができる。その後、適切なアクションを行うことができる。デジタルカメラ６００は、ワイヤレス送信の能力という唯一の要件を持つ、何らかの適切な特質または形態であってもよい。ワイヤレス送信モジュールは、デジタルカメラ６００に一体化しているかもしれず、または、別個のコンポーネントであるかもしれず、デジタルカメラ６００および別個のコンポーネントは、動作可能に接続している。遠隔カメラ６００は、メモリカード２００を持つデジタルカメラ１００に類似したカメラである場合、ｅメール、ウェブサイト、または他の取り外し可能記憶デバイスに対する必要性なしで、ファイル共有をカメラからカメラベースで行うことができる。遠隔デジタルカメラ６００は、ワイヤレスプロトコルが許容するのと同時に近い時間で、それ自体のメモリカード２００にデジタルデータを記憶してもよい。例えば、Ｗｉ−Ｆｉでは、必要とされるバッファリングのために数秒の遅延があるかもしれない。
【００４４】
理解できるように、双方の例示的な実施形態に対して、メモリカード２００は、何らかのドライバのインストール、または、ホストデバイス１００で実行しているソフトウェアの修正なしで、ホストデバイス１００に接続することが可能であり、それゆえ、“プラグ アンド プレイ”である。
【００４５】
メモリカード２００は、メモリカード２００の記憶モジュール２０６にダウンロードされたコンテンツの著作権保護のためのデジタル権利管理モジュールを備えていてもよい。
【００４６】
さらに、予め定められているモードであるときに、中央プロセッサ２０２は、カメラ１００の何らかの自動オフまたは自動停止を無効にして、カメラ１００が、それが予め定められているモードではなくなるまで、動作し続けることができるようにしてもよい。
【００４７】
図７では、さらなる例示的な実施形態が示されている。ここで、ワイヤレスモジュール２０４を有するデジタルカメラは、複数の外部デバイス６００、４００、および７００に並列にワイヤレスに接続することができ、ワイヤレスモジュール２０４によって複数の外部デバイス６００、４００、および７００からデータをワイヤレスに受信し、または、ワイヤレスモジュール２０４によって複数の外部デバイス６００、４００、および７００にデータをワイヤレスに送ることを可能にする。複数の外部デバイス６００、４００、および７００のすべては、ワイヤレス対応である。外部デバイス６００、４００、および７００のうちの１つ以上のものは、デジタルカメラ、または、デジタルカメラ１００に類似した別のデジタルデバイスであってもよい。それらのうちの１つ以上のものは、ワイヤレストランシーバモジュール２０４を持つメモリカード２００を有していてもよい。送信は、好ましくは、実質的にリアルタイムであり、これにより、データは、実質的に、記憶モジュール２０６、または、デジタルカメラ１００のいずれかから取得されたときに送信されてもよい。この方法で、外部デバイス６００、４００、７００は、データを実質的にリアルタイムで受信してもよく、それぞれは、データを表示ならびに／もしくは再生、および／または、データを記憶、および／または、データを再送してもよい。
【００４８】
データ（画像のみ、または、オーディオを有するビデオあるいはオーディオなしのビデオ）を取り込むために、デジタルカメラ１００が使用されているときに、データは実質的にリアルタイムで記憶モジュール２０６に記憶されてもよい。これは、データが送信されるのと実質的に同時であってもよい。プロセッサ２０２のスピードおよび容量に依存して、必要に応じて、送信をバッファリングするために、または、記憶するために、バッファ２１４を使用してもよい。
【００４９】
デジタルカメラ１００のワイヤレストランシーバモジュール２０４と、複数の外部デバイス６００、４００、７００との間のワイヤレス通信が、ピアツーピアプロトコルに基づいていること、および、デジタルカメラ１００のワイヤレストランシーバモジュール２０４と、複数の外部デバイスとの間の認証が行われることが好ましい。これは、共通ＩＰアドレスの使用によるものであってもよい。
【００５０】
図８は、デジタルカメラ１００中のメモリカード２００のワイヤレストランシーバモジュール２０４のブロックダイヤグラムである。デジタルカメラ１００は、複数の外部デバイス６００、７００に直列にワイヤレスに接続可能であり、ワイヤレストランシーバモジュール２０４によって複数の外部デバイス６００、７００からデータをワイヤレスにおよびシーケンシャルに受信し、または、ワイヤレストランシーバモジュール２０４によって複数の外部デバイス６００、７００にデータをワイヤレスにおよびシーケンシャルに送ることが可能になる。複数の外部デバイス６００、７００のすべては、ワイヤレス対応である。外部デバイス６００、７００のうちの１つ以上のものは、デジタルカメラ、または、デジタルカメラ１００に類似した別のデジタルデバイスであってもよい。それらのうちの１つ以上のものは、ワイヤレストランシーバモジュール２０４を持つメモリカード２００を有していてもよい。この方法で、外部デバイス６００、７００は、データを実質的にリアルタイムで受信し、それぞれは、データを表示ならびに／もしくは再生、および／または、データを記憶、および／または、データを再送してもよい。
【００５１】
デジタルカメラ１００のワイヤレストランシーバモジュール２０４と、複数の外部デバイス６００、７００との間のワイヤレス通信が、ピアツーピアに基づいていること、および、デジタルカメラ１００のワイヤレストランシーバモジュール２０４と、複数の外部デバイスとの間の認証が行われることが好ましい。これは、共通ＩＰアドレスの使用によるものであってもよい。Ｗｉ−Ｆｉを使用する場合、外部デバイス６００は、データのストリームを実質的にリアルタイムで受信および送信できる。Ｗｉ−Ｆｉを使用する場合、外部デバイス７００は、データのストリームを実質的にリアルタイムで受信して記憶できる。
【００５２】
図９ａおよび９ｂを参照して、カメラ１００およびメモリカード２００の代替的な動作をここで記述する。いったんデジタルカメラ１００の内蔵プロセッサ１０４とメモリカード２００の中央プロセッサ２０２との間の初期の接続が確立されると９０１、デジタルカメラ１００は、内蔵プロセッサ１０４の動作の下での通常の知られている方法で動作するか、例えば、“ビュー”（または、例えば、“再生”または“表示”または“データを転送”のようなその同等物）のような予め定められているモードで動作する。
【００５３】
デジタルカメラ１００が、通常の知られている方法で動作するように設定されている場合には９０５、内蔵プロセッサ１０４は、画像を取り込むように動作し、メモリカード２００の記憶モジュール２０６に画像を記憶するように中央プロセッサ２０２に命令する。
【００５４】
しかしながら、デジタルカメラ１００が、予め定められているモードで動作するように設定されている場合には９０７、内蔵プロセッサ１０４は、通常の動作にしたがって、ディスプレイ１１０上に表示するために、メモリカード２００から画像をダウンロードする。代替的に、内蔵プロセッサ１０４はまた、通常の動作にしたがって、デジタルカメラ１００上に表示するために、メモリカード２００の記憶モジュール２０６に記憶されているサムネイルバージョンの画像を、カード２００からダウンロードしてもよい。
【００５５】
デジタルカメラ１００上での制御１１４を介して、１つ以上の画像またはサムネイルが選択されるとき９０９、メモリカード２００の中央プロセッサ２０２は、表示されたメニューを制御するために、通常の動作で使用される、デジタルカメラ１００上での制御１１４により、メニューを含むインデックス画像ファイルをデジタルカメラ１００のディスプレイ１１０に送る９１１。インデックス画像ファイルは、メモリカード２００を制御するための１つ以上のメニューアイテムを含む。１つ以上のメニューアイテムのそれぞれは、第２のインデックス画像ファイル内の別個の画像であり、例えば、  
１．直接ワイヤレス転送  
２．間接ワイヤレス転送  
を含んでもよい。
【００５６】
重ねて、デジタルカメラ上の制御１１４を使用して、所望のメニューアイテムを選択し９１３、その際に、内蔵プロセッサ１０４は、選択されたメニューアイテムを中央プロセッサ２０２に通知する。インデックス画像ファイル中の各メニューアイテムは、一意的な画像識別子を有することから、メモリカード２００の中央プロセッサ２０２は、選択されたメニューアイテムを再び認識する９１５。
【００５７】
カメラ１００上の制御１１４によりメニューアイテム１が選択された場合に９１７、それに応じて、メモリカード２００と同一のメモリカード、または、メモリカード２００に類似したメモリカードを持つ、近くの遠隔電子装置に対してスキャンして、すぐ近くに１つより多いこのような電子装置が存在するか否かを決定する９１９ように、メモリカード２００の中央プロセッサ２０２は、ワイヤレストランシーバモジュール２０４に命令する。
【００５８】
ワイヤレストランシーバモジュール２０４が、単一の遠隔電子装置のみを検出する場合に、１つ以上の選択された画像は、その遠隔電子装置に装備されたメモリカードに直接送られる９２５。１つより多い遠隔電子装置が検出された場合に、中央プロセッサ２０２は、検出された遠隔電子装置中のメモリカードのそれぞれの識別子を集める９２１。中央プロセッサ２０１は、続いて、内蔵プロセッサ１０４を通して、表示するためにカメラにそれらの識別子を送る。それらの検出された識別子のそれぞれは、認識９２３に対して一意的である。デジタルカメラ１００上の制御１１４を介して、特定のメモリカードの識別子を選択することにより、ユーザは、したがって、選択したメモリカードを持つ遠隔電子装置に選択された画像を直接、ワイヤレスに転送する９２５ために、メモリカード２００を制御することができる。
【００５９】
代替的に、メモリカード２００の中央プロセッサ２０２は、メモリカード２００までのそれらの相対的な近接にしたがって、１つ以上の選択された画像を遠隔電子装置に送るように構成されていてもよい。例えば、選択された画像は、最も近くの遠隔電子装置に送られてもよい。１つ以上の検出された電子装置の各それぞれのメモリカードからワイヤレスに受信された位置データを、メモリカード２００の位置データに対して比較することにより、これが行われてもよい。また、レーダーシステムのように、メモリカード２００から（または、デジタルカメラ１００から）それぞれのメモリカードに送られた電磁波の戻り時間を比較することにより、これが行われてもよい。
【００６０】
デジタルカメラ１００上の制御１１４を介して、メニューアイテム２を選択すること９１８により、アクセスポイントの利用可能性を検出する９２０ように、ワイヤレストランシーバモジュール２０４に命令するように、メモリカード２００の中央プロセッサ２０２を制御することができる。
【００６１】
利用可能なアクセスポイントが検出された場合に、ワイヤレストランシーバモジュール２０４は、その後、アクセスポイントとの通信を確立して、そのアクセスポイントを通して、選択された画像を予め定められているウェブサイトまたはサーバに送る９２６。しかしながら、１つより多い利用可能なアクセスポイントが検出された場合に、中央プロセッサ２０２は、利用可能なアクセスポイントのそれぞれの識別子（ＳＳＩＤ）を再び集め９２２、表示のために、それらの識別子（ＳＳＩＤ）をデジタルカメラ１００にワイヤレスに送る９２２。重ねて、利用可能なアクセスポイントのそれらの検出されたＩＤのそれぞれは、認識９２４に対して一意的である。デジタルカメラ１００上の制御１１４を介して、特定のアクセスポイントＳＳＩＤを選択することにより、ユーザは、したがって、その選択されたアクセスポイントとの通信を確立するように、ワイヤレストランシーバモジュール２０４に命令するように、メモリカード２００を制御することができる。いったんワイヤレストランシーバモジュール２０４と選択されたアクセスポイントとの間の通信が確立されると、選択された画像は、メモリカード２００から１つ以上の予め定められているウェブサイトまたはサーバにワイヤレスに送られる９２６。
【００６２】
１つ以上の予め定められているウェブサイトまたはサーバのエントリは、典型的に、メモリカード２００をコンピュータに動作可能に接続することにより、および、コンピュータを使用して、ウェブサイトまたはサーバの関連する詳細を入力することにより、行われる。
【００６３】
オプションとして、メモリカード２００からの、選択された画像の直接ワイヤレス転送のために、近くの遠隔電子装置がないことから、中央プロセッサ２０２は、アクセスポイントの利用可能性を自動的に検出してもよい。
【００６４】
また、オプションとして、（図３で“１０００”として示されている）ブザーを、メモリカード２００の中央プロセッサ２０２に動作可能に接続してもよい。データがメモリカード２００から転送されるとき、または、データがメモリカード２００に転送されるときにいつでも、異なるタイプの信号を中央プロセッサ２０２からブザー１０００に送ることにより、それにしたがった、ブザー１０００から発せられる異なるブザーのサウンドが、デジタルカメラ１００と遠隔電子装置との間の（すなわち、デジタルカメラ１００と予め定められているウェブサイト／サーバとの間の）データ転送のステータスをユーザに通知する。例えば、短いビープは、データ転送が進行中であることをシグナリングしてもよい一方で、長いビープは、データ転送の終了をシグナリングしてもよい。
【００６５】
もちろん、ユーザは、デジタルカメラ１００を通して、例えば、そのディスプレイ１１０、その振動器、および／またはそのスピーカーを介して、データ転送のステータスを通知されてもよいことを正しく認識すべきである。これらの例では、メモリカード２００の中央プロセッサ２０２は、データがメモリカード２００から転送されるとき、または、データがメモリカード２００に転送されるときにいつでも、カメラ１００の内蔵プロセッサ１０４に適切な信号を送るように構成されるべきである。
【００６６】
１つ以上の画像（または、画像のサムネイルバージョン）の選択に関して、メモリカード２００の中央プロセッサ２０２とデジタルカメラ１００の内蔵プロセッサ１０４との双方は、デジタルプリントオーダーフォーマット（ＤＰＯＦ）および／またはエクスチェンジャブルイメージファイルフォーマット（ＥＸＩＦ）をサポートしてもよい。ＤＰＯＦフォーマットは、典型的に、デジタルカメラのユーザが、直接プリンティングのための画像を選択することを可能にするのに対して、ＥＸＩＦフォーマットは、典型的に、デジタルカメラのユーザが、削除に対する保護として画像を選択することを可能にする。しかしながら、中央プロセッサ２０２と内蔵プロセッサ１０４とは、ＤＰＯＦおよび／またはＥＸＩＦに依存して、それらの従来の使用の代わりに、遠隔電子装置および／または予め定められているウェブサイトもしくはサーバにワイヤレスに送ることになる、メモリ中に記憶された画像を、ユーザが選択することを可能にしてもよい。所望の遠隔電子装置ならびに／あるいは所望の予め定められているウェブサイトまたはサーバに送るための“選択”コマンドとして、ＤＰＯＦおよびＥＸＩＦコマンドを解釈するように、中央プロセッサ２２０を構成することにより、これを行う。
【００６７】
また、デジタルカメラ１００は、記憶モジュール２０６にデジタルデータを取り込んで、記憶してもよく、その取り込んだデジタルデータを遠隔電子装置ならびに／あるいは予め定められているウェブサイトまたはサーバに、実質的に双方にリアルタイムに送信することを正しく認識すべきである。代替的に、デジタルカメラ１００は、また、電子装置ならびに／あるいは予め定められているウェブサイトまたはサーバにより送られたデジタルデータを受信して表示してもよく、それにより、記憶モジュール２０６中でのその受信したデジタルデータの記憶と、デジタルカメラ１００上での受信したデジタルデータの表示との双方は、実質的にリアルタイムで行われる。メモリカード２００は、それゆえ、ビデオデータのライブストリーミングをサポートする。例えば、そこで、ビデオデータは、記憶モジュール２０６に記録および記憶され、遠隔デバイスにワイヤレスに送られ、双方は、実質的にリアルタイムに行われる。
【００６８】
さらに例示的な実施形態では、デジタルカメラ１００の内蔵プロセッサ１０４は、“スリープ”モードに入る時間（例えば、５分）を設定してもよい。内蔵プロセッサ１０４は、メモリカード２００の中央プロセッサ２０２が、データを送っているか否か、または、データを受信しているか否かを知らないかもしれないので、データがデジタルカメラ１００に転送される、または、データがデジタルカメラ１００から転送されるときに、内蔵プロセッサ１０４が“スリープ”モードに入る場合に、データ転送が乱されるリスクがある。これを防ぐために、中央プロセッサ２０２は、メモリカード２００がデータを送り始める、または、データを受信し始めるときはいつでも、“スリープ”モードに入るその時間をリセットするように、内蔵プロセッサ１０４に命令してもよい。代替的に、カメラ１００が“スリープ”モードに入らないように、内蔵プロセッサ１０４をアクティブに保つために、中央プロセッサ２０２と内蔵プロセッサ１０４との間のルーチンポーリング（例えば、３分毎に１度）を確立してもよい。
【００６９】
さらに、メモリカード２００の中央プロセッサ２０２は、ユーザの嗜好にしたがって、インデックス画像ファイルの所望の開始点に、デジタルカメラ１００のディスプレイ１１０を自動的にセットアップするように構成されてもよい。例えば、いったん内蔵プロセッサ１０４と中央プロセッサ２０２との間の初期の接続が確立されると、カメラは、例えば、“ビュー”のような、予め定められているモードに自動的に設定されてもよい。
【００７０】
さらに、デジタルカメラ１００は、メモリカード２００がデジタルカメラ１００に動作可能に係合しており、デジタルカメラ１００のスイッチがオンであるときに、メモリカード２００を非標準メモリカードとして認識することも可能であってもよい。メモリカード２００を非標準メモリカードとして認識すると、デジタルカメラ１００は、それに応じて、デジタルカメラ１００内にあるすべての関連する機能性をアクティブ化する。これらの機能性は、上述したメモリカード２００により制御された、１つ以上の何らかのメニュー機能性、または、メニュー機能性の何らかの可能性ある組み合わせであってもよい。しかしながら、メモリカード２００は、依然として、図３に示したようなものであり、継続して、中央プロセッサ２０２と、中央プロセッサ２０２に動作可能に接続されているワイヤレストランシーバモジュール２０４と、中央プロセッサ２０２に動作可能に接続されている記憶モジュール２０６とを備えるだろう。中央プロセッサ２０２は、継続して、カードインターフェース２０８とともに、ワイヤレスインターフェース２１０を備えるだろう。ワイヤレストランシーバモジュール２０４は、継続してアンテナ２１２を備えるだろう。そして、ＣＰＵ２０２は、特にワイヤレストランシーバモジュール２０４がデータを送っている、または、データを受信しているときに、データのバッファリングを可能にするバッファ２１４を継続して備えるだろう。この方法では、デジタルカメラ１００は、デジタルカメラメニューの通常の方法で、これらのメニュー機能性を動作させてもよく、したがって、各メニューアイテムを画像として有する必要はないが、デジタルカメラ１００の通常の動作ソフトウェアの一部分を形成する。
【００７１】
代替的に、１つ以上のインデックス画像ファイルは、メモリカード２００に記憶される代わりに、デジタルカメラ１００に記憶されてもよい。メモリカード２００を非標準メモリカードとして認識すると、デジタルカメラ１００の内蔵プロセッサ１０４は、ユーザの嗜好にしたがって、例えば、“ビュー”のような、デジタルカメラ１００に記憶されている特定のインデックスファイル画像の所望の開始点に、デジタルカメラ１００のディスプレイ１１０を自動的にセットアップするように構成されていてもよい。
【００７２】
メモリカード２００は、さらに、デジタルプリントオーダーフォーマット（ＤＰＯＦ）をサポートする。ＤＰＯＦは、典型的に、プリンタによる直接（自動）プリンティング；移動体電話機あるいはパーソナルデジタルアシスタント（ＰＤＡ）のような、移動体情報デバイスを介した直接（自動）送信；または、テレビならびにビデオプロジェクタ上での静止画像の直接（自動）再生に対して、取り外し可能媒体中で用いられる。しかしながら、取り外し可能媒体は、直接プリンティングまたは直接送信のために、デジタルカメラから物理的に取り外され、それぞれ、プリンタまたは移動体情報デバイスに物理的に接続されなければならない。それゆえ、ＤＰＯＦフォーマットを用いるこのような取り外し可能媒体の使用は不都合である。
【００７３】
ＤＰＯＦフォーマットをサポートするようにメモリカード２００を構成することにより、メモリカード２００を好都合に使用して、予め定められているサーバまたはウェブサイトのような、遠隔電子装置あるいはプリンタに選択された画像を送ることができる。
【００７４】
図１０ａは、予め定められているサーバ／ウェブサイトまたはプリンタに画像をワイヤレスに送ることのような、その機能性をサポートするために、ＤＰＯＦフォーマット上で活用する、メモリカード２００のディレクトリ構造を図示している。オートプリントＡＵＴＰＲＩＮＴ．ＭＲＫファイル１０１０のようなＤＰＯＦファイルは、メモリカード２００のルートディレクトリの下の種々雑多なＭＩＳＣディレクトリ１０１２に記憶されている。図１０ｂは、“ＰＲＴ＿ＱＴＹ”１０１４および“ＩＭＧ ＳＲＣ”１０１６、１０１８のような、複数の異なるフィールドを有するオートプリントＡＵＴＰＲＩＮＴ．ＭＲＫファイル１０１０の例を図示している。
【００７５】
各オートプリントＡＵＴＰＲＩＮＴ．ＭＲＫファイル１０１０中のＰＲＴ＿ＱＴＹフィールド１０１４に関して、メモリカード２００は、このフィールドの値を使用して、異なるタイプの予め規定されている動作をトリガするように構成されている。例えば、メモリカード２００は、以下のアクションテーブルにアクセスして、これらの異なる予め規定されている動作を決定してもよい。  
【表１】
0005632012.tif 000002
【００７６】
ユーザが、デジタルカメラ１００上の制御１１４を介して、メモリカード２００の記憶モジュール２０６から１つ以上の画像を選択するときはいつでも、ユーザは、ユーザが、選択された画像のそれぞれに対して実行することを望む、上記のアクションテーブルにしたがった少なくとも１つの予め規定されている動作を特定するというオプションを有していてもよい。選択された、予め規定されている動作に依存して、オートプリントＡＵＴＰＲＩＮＴ．ＭＲＫファイル１０１０は、“ＩＭＧ ＳＲＣ”フィールドの下で選択された画像を含むように更新される。
【００７７】
もちろん、ユーザは、選択された画像に対して、１つより多い予め規定されている動作を選択することを決定してもよいことを正しく認識すべきである。例えば、ユーザは、選択された画像を予め定められているサーバ／ウェブサイトにアップロードするとともに、その選択された画像をプリントするためにプリンタにワイヤレスに送ることを望んでもよい。
【００７８】
図１１は、メモリカード２００の中央プロセッサ２０２が、オートプリントＡＵＴＰＲＩＮＴ．ＭＲＫファイル１０１０に基づいて、予め規定されている動作のうちの１つを実行するフローチャートを図示している。１つより多いオートプリントＡＵＴＰＲＩＮＴ．ＭＲＫファイル１０１０がメモリカード２００に記憶されている場合に、図１１のフローチャートが、他のオートプリントＡＵＴＰＲＩＮＴ．ＭＲＴファイル１０１０の実行にも適用することを正しく認識すべきである。
【００７９】
メモリカード２００は、デジタルカメラ１００の内蔵プロセッサ１０４により命令されると、その動作を開始する１１０１。これは、デジタルカメラ１００上の制御１１４を介して、ユーザ制御を通して行われる。例えば、ユーザは、デジタルカメラ１００上に表示された適切なメインメニューアイテムを選択して、オートプリントＡＵＴＰＲＩＮＴ．ＭＲＫファイル１０１０を機能させるように、中央プロセッサ２０２に命令してもよい。
【００８０】
中央プロセッサ２０２は、その後、メモリカード２００中の何らかのオートプリントＡＵＴＰＲＩＮＴ．ＭＲＫファイル１０１０に対して、そのサーチを始める１１０３。何も見つからなかった場合に、中央プロセッサ２０２は、その動作を終了し１１０４、デジタルカメラ１００は、その前の動作モードを再開する。しかしながら、オートプリントＡＵＴＰＲＩＮＴ．ＭＲＫファイル１０１０が見つかった場合には、中央プロセッサ２０２は、ＰＲＴ＿ＱＴＹフィールドに対して、ＡＵＴＰＲＩＮＴ．ＭＲＫファイル１０１０をスキャンする。ＰＲＴ＿ＱＴＹフィールドが見つからなかった場合には、中央プロセッサ２０２は、その動作を終了し１１０４、デジタルカメラ１００は、その後、その前の動作モードを再開する。しかしながら、１つ以上のＰＲＴ＿ＱＴＹフィールドが見つかった場合には、中央プロセッサ２０２は、ＰＲＴ＿ＱＴＹフィールドの対応する値を抽出し１１０７、アクションテーブルにしたがって、対応する予め規定されている動作を決定する。１、２、および３のＰＲＴ＿ＱＴＹ値に対して、中央プロセッサ２０２は、それに応じて、適切な画像に対して、対応する予め規定されている動作を実行する１１０９、１１１１、１１１３。
【００８１】
ＰＲＴ＿ＱＴＹ値にしたがった、適切な予め規定されている動作が実行された後に、中央プロセッサ２０２は、ＰＲＴ＿ＱＴＹフィールドをナル値にリセットする１１１５。メモリカード２００によって前に実行された予め規定されている動作のうちの任意のものの重複を避けるために、これが必要であるかもしれない。
【００８２】
中央プロセッサ２０２の動作は、その後、終了し１１０４、ここでまた、デジタルカメラ１００は、その前の動作モードを再開する。
【００８３】
図１２は、メモリカード２００の中央プロセッサ２０２により、単一の予め規定されている動作のみが実行される代替的なフローチャートを示している。
【００８４】
メモリカード２００は、デジタルカメラ１００の内蔵プロセッサ１０４により命令されると、その動作を開始する１２０１。重ねて、これは、デジタルカメラ１００上の制御１１４を介して、ユーザ制御を通して行われる。例えば、ユーザは、デジタルカメラ１００上に表示された適切なメインメニューアイテムを選択して、オートプリントＡＵＴＰＲＩＮＴ．ＭＲＫファイル１０１０を機能させるように、中央プロセッサ２０２に命令してもよい。
【００８５】
中央プロセッサ２０２は、その後、画像が記憶されているデジタルカメラ画像（ＤＣＩＭ）フォルダに対してそのサーチを始める１２０３。何も見つからなかった場合に、中央プロセッサ２０２は、その動作を終了し１２０４、デジタルカメラ１００は、その前の動作モードを再開する。しかしながら、ＤＣＩＭフォルダが見つかった場合には、中央プロセッサ２０２は、メモリカード２００中のオートプリントＡＵＴＰＲＩＮＴ．ＭＲＫファイル１０１に対するサーチを進める１２０５。ＡＵＴＰＲＩＮＴ．ＭＲＫファイル１０１０が見つからなかった場合に、中央プロセッサ２０２は、記憶モジュール２０６中に記憶されているすべての画像１２０７を、予め定められているサーバ／ウェブサイト、および／または、プリンタに送るように進め、その際に、中央プロセッサ２０２は、動作を終了し１２０４、デジタルカメラ１００は、その前の動作モードを再開する。しかしながら、オートプリントＡＵＴＰＲＩＮＴ．ＭＲＫファイル１０１０が見つかった場合には、中央プロセッサ２０２は、選択された画像のそれぞれの名前に対して、ＡＵＴＰＲＩＮＴ．ＭＲＫファイル１０１０をスキャンする１２０９。中央プロセッサ２０２は、ＡＵＴＰＲＩＮＴ．ＭＲＫファイル１０１０のエンドに到達したか否かを決定する１２０９。到達していない場合に、ＡＵＴＰＲＩＮＴ．ＭＲＫファイル１０１０のスキャニングは、そのエンドに到達するまで継続する。中央プロセッサは、その後、メモリカード２００から選択された画像を取得して、予め定めされたサーバ／ウェブサイト、および／または、プリンタに送る１２０９。
【００８６】
すべての選択された画像がメモリカード２００から送られた後に、中央プロセッサ２０２は、その動作を終了し１２０４、デジタルカメラ１００は、その前の動作モードを再開する。
【００８７】
オプションとして、パーソナルコンピュータまたは移動体情報デバイスのような、遠隔電子装置へのワイヤレス送信に対する、メモリカード２００中に記憶されている画像の選択は、その遠隔電子装置により引き受けられてもよい。このケースでは、遠隔電子装置は、それ自体へのワイヤレス転送に対して、メモリカード２００から１つ以上の画像を選択するために、メモリカード２００のディレクトリ構造にアクセスする能力がある。遠隔電子装置およびメモリカード２００の双方が、ワールドワイドウェブのようなネットワークを介して互いに接続されている場合に、遠隔電子装置は、インターネットブラウザを介して、メモリカード２００のディレクトリ構造にアクセスしてもよい。
【００８８】
上記の説明は、例示的な実施形態を記載しているが、本発明から逸脱することなく、設計、構造、および／または動作の詳細における多くのバリエーションを得ることができることを、当業者は理解するだろう。
以下に、本願出願時の特許請求の範囲に記載された発明を付記する。
[１]デジタルデータをデジタルカメラの外部に独立的にエクスポートすることができない、または、前記デジタルカメラの外部からデジタルデータを独立的にインポートすることができない内蔵プロセッサを備えるデジタルカメラで使用されるように構成されているメモリカードにおいて、
中央プロセッサと、
記憶モジュールと、のうちの少なくとも１つに動作可能に接続されており、
前記デジタルカメラに送信された前記デジタルデータをワイヤレスに受信し、前記デジタルカメラから選択された前記デジタルデータをワイヤレスに送信するように構成されている、
ワイヤレストランシーバモジュールを具備し、
前記中央プロセッサは、
前記デジタルカメラによる前記デジタルデータの受信と、
前記デジタルカメラからの前記選択されたデジタルデータの送信と、のうちの少なくとも１つを制御するように、前記デジタルカメラの制御を介して、前記内蔵プロセッサにより命令されるように構成されており、
前記記憶モジュールは、
前記中央プロセッサに動作可能に接続されており、前記デジタルカメラにより取り込まれた前記デジタルデータと、前記デジタルカメラにより受信された前記デジタルデータとのうちの少なくとも１つを記憶するように構成されており、
前記メモリカードは、
前記ワイヤレストランシーバモジュールを通して、少なくとも１つの外部デバイスに前記選択されたデジタルデータをワイヤレスに送信することと、
前記ワイヤレストランシーバモジュールを通して、外部デバイスから前記デジタルデータをワイヤレスに受信することと、のうちの少なくとも１つを行うように構成されており、
前記デジタルデータの記憶は、実質的にリアルタイムで行うことができ、前記選択されたデジタルデータの送信は、実質的にリアルタイムで行うことができるメモリカード。
[２]前記メモリカードは、少なくとも１つの直接プリントオーダーフォーマット（ＤＰＯＦ）ファイルを記憶する前記[１]記載のメモリカード。
[３]前記少なくとも１つのＤＰＯＦファイルは、オートプリントＡＵＴＰＲＩＮＴ．ＭＲＫファイルである前記[２]記載のメモリカード。
[４]前記メモリカードは、前記オートプリントＡＵＴＰＲＩＮＴ．ＭＲＫファイル中の第１のフィールドの値に基づいて、少なくとも１つの予め規定されている動作を実行するように構成されている前記[３]記載のメモリカード。
[５]前記第１のフィールドは、‘ＰＲＴ＿ＱＴＹ’である前記[４]記載のメモリカード。
[６]前記少なくとも１つの予め規定されている動作は、
前記ワイヤレストランシーバモジュールを通した、予め定められているサーバまたはウェブサイトへの、前記選択されたデジタルデータのワイヤレス送信と、
前記ワイヤレストランシーバモジュールを通した、プリンタへの、前記選択されたデジタルデータのワイヤレス送信と、のうちの１つである前記[４]または前記[５]記載のメモリカード。
[７]前記オートプリントＡＵＴＰＲＩＮＴ．ＭＲＫファイル中の第２のフィールドの少なくとも１つの値は、前記選択されたデジタルデータの１つのファイル名に対応する前記[３]ないし[６]のいずれか１つに記載のメモリカード。
[８]前記第２のフィールドは、‘ＩＭＧ＿ＳＲＣ’である前記[７]記載のメモリカード。
[９]前記記憶モジュールは、前記少なくとも１つの外部デバイスによりアクセス可能であるように構成され、前記少なくとも１つの外部デバイスは、前記記憶モジュールから前記デジタルデータを選択して、前記ワイヤレストランシーバモジュールを通して、前記メモリカードから前記選択したデジタルデータをワイヤレスに受信する前記[１]ないし[８]のいずれか１つに記載のメモリカード。
[１０]前記記憶モジュールに記憶されている前記デジタルデータは、ウェブブラウザを通して、前記少なくとも１つの外部デバイスによりアクセス可能である前記[９]記載のメモリカード。
[１１]デジタルデータをデジタルカメラの外部に独立的にエクスポートすることができない、または、前記デジタルカメラの外部からデジタルデータをインポートすることができない内蔵プロセッサを備えるデジタルカメラから、前記デジタルデータをエクスポートすること、あるいは、
デジタルデータをデジタルカメラの外部に独立的にエクスポートすることができない、または、前記デジタルカメラの外部からデジタルデータをインポートすることができない内蔵プロセッサを備えるデジタルカメラにより、前記デジタルデータを受信すること、のうちの少なくとも１つを行う方法において、
前記デジタルカメラにインストールされ、前記デジタルカメラに動作可能に接続されているメモリカードを使用することと、
前記デジタルカメラの前記内蔵プロセッサを介して、前記メモリカードの動作を制御するために、前記デジタルカメラの制御を使用することとを含み、
前記メモリカードは、中央プロセッサと、記憶モジュールと、ワイヤレストランシーバモジュールとを有し、
前記中央プロセッサおよび前記記憶モジュールは、前記デジタルカメラにより取り込んだ前記デジタルデータと、前記デジタルカメラにより受信した前記デジタルデータとのうちの少なくとも１つを記憶するために使用され、
前記ワイヤレストランシーバモジュールは、
前記デジタルデータをワイヤレスに受信することと、
前記デジタルカメラから選択された前記デジタルデータを、前記少なくとも１つの外部デバイスにワイヤレスに送信することと、のうちの少なくとも１つに対して使用され、
前記デジタルデータの記憶は、実質的にリアルタイムで行うことができ、前記選択されたデジタルデータの送信は、実質的にリアルタイムで行うことができる方法。
[１２]前記メモリカードに記憶されている少なくとも１つの直接プリントオーダーフォーマット（ＤＰＯＦ）ファイル中の第１のフィールドの値に基づいて、少なくとも１つの予め規定されている動作を実行する、前記メモリカードのステップをさらに含む前記[１１]記載の方法。
[１３]前記少なくとも１つの予め規定されている動作を実行する前記メモリカードのステップは、
前記ワイヤレストランシーバモジュールを通して、予め定められているサーバまたはウェブサイトに前記選択されたデジタルデータをワイヤレスに送信することと、
前記ワイヤレストランシーバモジュールを通して、プリンタに前記選択されたデジタルデータをワイヤレスに送信することと、のうちの１つである前記[１２]記載の方法。
[１４]前記選択されたデジタルデータを前記少なくとも１つの外部デバイスにワイヤレスに送信する、前記メモリカードのステップをさらに含み、
前記選択されたデジタルデータのそれぞれの各々のファイル名は、前記少なくとも１つの直接プリントオーダーフォーマット（ＤＰＯＦ）ファイル中の第２のフィールドの少なくとも１つの値に対応している前記[１２]または前記[１３]記載の方法。
[１５]前記メモリカードの前記記憶モジュールにアクセスして前記デジタルデータを選択し、前記ワイヤレストランシーバモジュールを通して、前記選択されたデジタルデータを前記記憶モジュールからワイヤレスに受信する、前記少なくとも１つの外部デバイスのステップをさらに含む前記[１１]ないし[１４]のいずれか１つに記載の方法。
【図１】
0005632012.tif 000003
【図２】
0005632012.tif 000004
【図３】
0005632012.tif 000005
【図４】
0005632012.tif 000006
【図５ａ】
0005632012.tif 000007
【図５ｂ】
0005632012.tif 000008
【図６】
0005632012.tif 000009
【図７】
0005632012.tif 000010
【図８】
0005632012.tif 000011
【図９ａ】
0005632012.tif 000012
【図９ｂ】
0005632012.tif 000013
【図１０ａ】
0005632012.tif 000014
【図１０ｂ】
0005632012.tif 000015
【図１１】
0005632012.tif 000016
【図１２】
0005632012.tif 000017